(57)【特許請求の範囲】
【請求項１】
前面に開口部を有する筐体と、
前面に表示板を保持する本体ケースを有し、前記表示板が前方を向く姿勢で前記開口部から前記筐体内に挿通固着される表示器と、
前記表示板を覆う透明の保護板と、
この保護板を介して前記表示板を視認するための窓部を有し、前記筐体の開口部を覆うフロントパネルとを備えた装置において、
中央開口部を有し、その中央開口部から前記表示板が露出するように前記本体ケースの前記表示板周辺部分に嵌め込まれる取付金具と、
前記保護板の周縁部が固着された状態で、前記表示器が前記筐体内に組込まれる前に前記取付金具に固着される取付枠とを具備し、
該取付枠は、前記表示板と前記保護板との間の空間が密閉されるように前記取付金具に固着されることを特徴とする表示器を有する装置。
【請求項２】
前記表示板は液晶表示板であることを特徴とする請求項１に記載の表示器を有する装置。
【発明の詳細な説明】
【０００１】
【産業上の利用分野】
本発明は、例えば液晶などの表示板にて種々の情報を表示する表示器を有する装置に関する。
【０００２】
【従来の技術】
この種の表示器を有する車載用ＡＶ機器として、例えば特開平６−１３９７５８号公報や図４に示すものが知られている。
図４において、符号１は前面（図示右側の面）に開口部を有する筐体であり、この筐体１内にカセットデッキ２，液晶ディスプレイ装置１０，不図示のＣＤ装置，テレビ／ラジオチューナーなどが収容される。液晶ディスプレイ装置１０は、矩形の液晶表示板１１を前面に有し、この表示板１１にＴＶ画像や各種情報が表示される。３は筐体１の前面開口部を覆うよう取付けられるフロントパネルであり、このフロントパネル３に設けられた窓部３ａには予め透明のアクリル板（液晶保護板）４が固着されている。したがって、フロントパネル３を筐体１に取付けると液晶表示板１１の前面がアクリル板４に覆われることになり、このアクリル板４を介して液晶表示板１１上の画像情報が視認される。
【０００３】
【発明が解決しようとする課題】
しかしながら、従来はアクリル板４がフロントパネル３に予め取付けられる構成となっていたため、液晶ディスプレイ装置１０を筐体１内に組込む前の段階では液晶表示板１１が外部に露出され、液晶表示板１１に塵埃が付着したり、指などが接触し易い。このため、液晶ディスプレイ装置１０の組立時は勿論、筐体１に液晶ディスプレイ装置１０を組込んでフロントパネル３を取付ける工程においても、作業をクリーンルームなどの特殊な環境下で行うとともに、液晶表示板１１に指などが触れないよう細心の注意を払う必要があり、作業者の負担となっていた。
【０００４】
本発明の目的は、クリーンルームなどを使用することなく通常の環境下で表示器を装置本体に組込む作業が行え、かつ作業者への負担を軽減することが可能な表示器を有する装置を提供することにある。
【０００５】
【課題を解決するための手段】
一実施例を示す図２および図３に対応づけて説明すると、本発明は、前面に開口部を有する筐体２１と、前面に表示板３２を保持する本体ケース３１有し、表示板３２が前方を向く姿勢で上記開口部から筐体２１内に挿通固着される表示器３０と、表示板３２を覆う透明の保護板３３と、この保護板３３を介して表示板３２を視認するための窓部２４ａを有し、筐体２１の開口部を覆うフロントパネル２４とを備えた装置に適用される。
そして、中央開口部を有し、その中央開口部から表示板３２が露出するように本体ケース３１の表示板周辺部分に嵌め込まれる取付金具５と、保護板３３の周縁部が固着された状態で、表示器３０が筐体２１内に組込まれる前に取付金具３５に全周にわたって密着固定される取付枠３４とを具備し、取付枠３４は、表示板３２と保護板３３との間の空間ＳＰが密閉されるようを取付金具３５に固着される。
請求項２の発明は、表示板を液晶表示板３２としたものである。
【０００６】
【作用】
保護板３３は、表示器３０が筐体２１内に組込まれる前に取付機構３４，３５を介して予め表示器３０に取付けられる。表示板３２と保護板３３との間の空間ＳＰは密閉されているので、表示器３０を筐体２１に組込む作業をクリーンルームなどで行わなくても表示板３２に塵埃が付着することがなく、また表示板３２に指などが触れることもない。
【０００７】
なお、本発明の構成を説明する上記課題を解決するための手段と作用の項では、本発明を分かり易くするために実施例の図を用いたが、これにより本発明が実施例に限定されるものではない。
【０００８】
【実施例】
図１〜図３により本発明を車載用ＡＶ機器に適用した場合の一実施例を説明する。
図１は本発明に係る車載用ＡＶ機器の正面図、図２はそのII−II線断面図である。このＡＶ機器は、いわゆる２ＤＩＮサイズと呼ばれるもので、前面（図２において右方側面）が開口する略直方体状の筐体２１を有している。筐体２１内には、カセットテープ２２の再生機能等を有するカセットデッキ２３や不図示のＣＤ装置，テレビ／ラジオチューナーなどが収容されるとともに、開口部付近には液晶ディスプレイ装置３０が収容される。この液晶ディスプレイ装置３０については後で詳述する。
【０００９】
２４は筐体２１の前面開口を覆うフロントパネルであり、このフロントパネル２４には、液晶ディスプレイ装置３０の表示画面を視認するための窓２４ａが形成されている。フロントパネル２４の窓２４ａの上方にはカセットデッキ６用のカセット挿入口２４ｂが形成されており、この挿入口２４ｂからカセットデッキ２３にカセットテープ２２が挿入され、あるいはカセットデッキ２３からカセットテープ２２が排出される。なお、窓２４ａに液晶保護用のアクリル板は取付けられていない。
【００１０】
液晶ディスプレイ装置３０は、本体ケース３１と、本体ケース３１の前面に保持される矩形の液晶表示板３２と、液晶表示板３２の前面を覆うように取付けられる矩形のアクリル板３３とを有している。図３の拡大図に示すように、アクリル板３３は、その周縁部全体が取付枠３４の表面３４ａに両面テープなどで予め固着される。３５は本体ケース３１の前面に嵌め込まれる矩形の取付金具であり、その中央開口部から液晶表示板３２が露出する。この取付金具３５の表面３５ａおよび取付枠３４の裏面３４ｂは略平面状に形成されている。
なお、３６は本体ケース３１内に収容されたバックライト用のランプ、３７はランプ３６からの光を拡散して液晶表示板３２の裏面に導くための拡散板、４１はディスプレイ装置３０を筐体２１内に取付けるための取付部材、３１ａは本体ケース３１を取付部材４１に螺着するためのねじ孔である。
【００１１】
液晶ディスプレイ装置３０にアクリル板３３を組込む際には、まず取付金具３５を本体ケース３１の前面に嵌め込んで固定し、次いでアクリル板３３が固着された取付枠３４の裏面３４ｂ全周を取付金具３５の表面３５ａに両面テープなどを用いて貼り付ける。これにより、液晶表示板３２の前面がアクリル板３３によって覆われる。アクリル板３３と液晶表示板３２との間隔は全体に渡ってほぼ一定となり、かつ両者の間の空間ＳＰは気密状態に保持される。なお、この取付作業は、液晶表示板３２の表面に塵埃が付着しないようクリーンルーム等で行う必要があり、また液晶表示板３２に指などが触れないように十分注意する必要がある。
【００１２】
以上のよう構成された液晶ディスプレイ装置３０は、次段の工程において、ＡＶ機器の筐体２１内に組込まれる。すなわち、液晶表示板３２が前方を向く姿勢で、取付部材４１に螺着された液晶ディスプレイ装置３０が筐体２１の前面開口部２１ａから筐体２１内部に挿通され、取付部材４１が筐体２１内の取付部（不図示）に固着される。次いで筐体２１の開口部を覆うようにフロントパネル２４が筐体２１に取付けられる。このとき、窓部２４ａの周縁部全体がアクリル板３３の表面に密着され、この窓部２４ａからアクリル板３３を介して液晶表示板３２、すなわちディスプレイ装置３０の表示画面が視認可能となる。
【００１３】
上述したように、アクリル板３３と液晶表示板３２との間の空間ＳＰは気密状態に保持されているので、上述した液晶ディスプレイ装置３０の組込み作業時に空間ＳＰ内に塵埃が侵入することはなく、したがってこの作業をクリーンルームなどの特殊な環境下で行う必要はない。また表示板３２に指などが触れることもないので、組立作業における作業者の負担が軽減され、作業効率の向上が図れる。さらに、フロントパネル２４の窓部２４ａの周縁部全体がアクリル板３３の表面に密着されているので、フロントパネル２４とアクリル板３３との間に塵埃が侵入することもない。
【００１４】
以上の実施例の構成において、液晶ディスプレイ装置３０が表示器を、アクリル板３３が保護板を、取付枠３４および取付金具３５が取付機構をそれぞれ構成する。
【００１５】
なお、アクリル板の取付機構は、上述のような取付枠３４および取付金具３５に限定されず、空間ＳＰが密閉されるようにアクリル板を取付け得る構成であれば他の機構でもよい。また、取付枠３４と取付金具３５、取付枠３４とアクリル板３３をそれぞれ両面テープで貼着した例を示したが、例えば接着剤あるいはビスなどで固着するようにしてもよい。さらに保護板は、透明な部材であればアクリル板に限定されない。また以上では、液晶表示板を有する表示器を示したが、液晶以外の表示板を有する表示器でもよい。さらに車載用ＡＶ機器以外の表示器を有する装置にも本発明を同様に適用できる。
【００１６】
【発明の効果】
本発明によれば、表示板（例えば液晶表示板）を覆う保護板を両者間の空間が密閉されるように予め表示器に取付けるようにしたので、表示器を装置本体に組込む作業をクリーンルームなどの特殊な環境下で行わなくても表示板に塵埃が付着することがなく、また表示板に指などが触れることもない。したがって組立作業における作業者の負担が軽減され、作業効率の向上が図れる。また表示器本体ケースの表示板周辺部分に固着される取付金具と、保護板の周縁部が固着される取付枠とを設け、取付枠を取付金具に固着するようにしたので、表示板と保護板との間の空間を確実に密閉状態とすることができる。
【図面の簡単な説明】
【図１】本発明の一実施例における車載用ＡＶ機器を示す正面図。
【図２】図１のII−II線断面図。
【図３】図２のＡ部分の拡大図。
【図４】従来の車載用ＡＶ機器を示す側面断面図。
【符号の説明】
２１  筐体
２３  カセットデッキ
２４  フロントパネル
２４ａ  窓部
３０  液晶ディスプレイ装置
３１  ケース本体
３２  液晶表示板
３３  アクリル板
３４  取付枠
３５  取付金具
ＳＰ  空間
【図１】
0003751036.tif 000002
【図２】
0003751036.tif 000003
【図３】
0003751036.tif 000004
【図４】
0003751036.tif 000005